(57)【要約】【課題】  金属導線を増設することなく使用中の感知回路の損傷を防止可能なプリント式磁性ダートボードを提供する。【解決手段】  ダートが刺さる的として用いられ、採点の必要に応じ若干のリング区域に区分けされるダートボード１０と、ダートボード１０の背面に配置されることでダートボード１０の上に固定磁場を形成可能である磁力区域２０と、ダートボード１０と磁力区域２０の間に配置され、かつ物体に導電材料をプリントして導電材料により導電回路を形成することで構成される感知層３０とを備える。【選択図】    図３
2007044250.tif 000002
【特許請求の範囲】
【請求項１】
ダートを突き刺し可能な的として用いられ、採点の必要に応じ若干のリング区域に区分けされるダートボードと、
ダートボードの背面に配置されることでダートボードの上に固定磁場を形成可能である磁力区域と、
ダートボードと磁力区域の間に配置され、かつ物体に導電材料をプリントして導電材料により導電回路を形成することで構成される感知層と、
を備えるプリント式磁性ダートボード。
【請求項２】
磁力区域は一つの磁石から構成されることでダートボードの上に固定磁場を形成可能である請求項１に記載のプリント式磁性ダートボード。
【請求項３】
磁力区域は複数の磁石から構成されることでダートボードの上に固定磁場を形成可能である請求項１に記載のプリント式磁性ダートボード。
【請求項４】
ダートを突き刺し可能な的として用いられ、採点の必要に応じ若干のリング区域に区分けされるダートボードと、
ダートボードの背面に配置される磁力区域と、
磁力区域の背面に配置され、かつ物体に導電材料をプリントして導電材料により導電回路を形成することで構成される感知層と、
を備えるプリント式磁性ダートボード。
【請求項５】
磁力区域は一つの磁石から構成されることでダートボードの上に固定磁場を形成可能である請求項４に記載のプリント式磁性ダートボード。
【請求項６】
磁力区域は複数の磁石から構成されることでダートボードの上に固定磁場を形成可能である請求項４に記載のプリント式磁性ダートボード。
【発明の詳細な説明】
【技術分野】
【０００１】
本発明は、ゲーム用のダートボートに関し、特にプリント式磁性ダートボードに関するものである。
【背景技術】
【０００２】
一般に使用されている電子式ダートボードの構造は図１と図２に示す如く、その作り方は磁性のダートを使用するためにダートボード１にコイル２を配置することである。ダートのヘッド部は本体そのものが磁性を有するため、ダートのヘッド部がコイルを貫通してダートボードに刺さった瞬間、コイルに感知電流が発生することで自動的に得点を測定するという効果を達成することが可能である。このような構造には特に大きな欠点はないが、コイルに感知電流を発生させるために、使用するダートのヘッド部に磁性を持たせることが必要である。つまり、製造の際にダートのヘッド部の中に磁石を加えるか、ダートのヘッド部に磁気を持たせることで磁性を発生させる。このため、製造上の難度及びコストを増加させることは免れられない。
【０００３】
現今の製造法はコイルの作製の際に一回りずつ装着するため、非常に手間が掛かる。また、ダートが的に刺さって断線するという事態にならないようにダートボードの表面のコイルを保護するために、ダートボードの表面に金属の保護フレーム３を装着することが一般的なやり方である。これによりダートボードを区分け可能であるだけでなく、金属の保護フレーム３の下に位置するコイルを保護可能である。このようなやり方はコイルを保護するという目的を達成可能であるが、ダートがコイルに当たった時、落ちたり飛ばされたりすることがあるため、使用者を非常に悩ませる。
【発明の開示】
【発明が解決しようとする課題】
【０００４】
本発明の主な目的は、金属導線を増設することなく使用中の感知回路の損傷を防止可能なプリント式磁性ダートボードを提供することである。
【課題を解決するための手段】
【０００５】
上記目的を達成するために、本発明によるプリント式磁性ダートボードは、ダートボードの背面に磁力区域が配置されることでダートボードの上に固定磁場を形成し、かつダートボードと磁力区域の間、または磁力区域の背面に感知層が配置され、感知層は物体に導電材料をプリントして導電材料により導電回路を形成することで構成される。
【発明を実施するための最良の形態】
【０００６】
以下、本発明の実施例の構造及び特徴を図面に基づいて説明する。まず図面の説明は下記の通りである。
図３は本発明の第一実施例の断面図である。
図４は本発明の第二実施例の断面図である。
ダートボード１０は、麻または発泡スチロールから作製され、ダートのポイントが刺さる的として用いられる。かつダートボードは採点の必要に応じ若干のリング区域に区分けされる。
【０００７】
磁力区域２０は、ダートボードの背面に配置される。磁力区域は一つまたは複数個の磁石がダートボードの背面に配置されることでダートボードに固定磁場を形成可能である。磁石の配置方法は一枚で配置するか、それぞれのリング区域の背面に磁石を配置するか、どちらでもかまわない。いずれの配置方法でも同じ効果を達成可能である。
感知層３０は、図３に示すようにダートボードと磁力区域の間に配置されるか、図４に示すように磁力区域の背面に配置されることが可能である。感知層は金、銀、銅、カーボンまたは導電インクなどの導電材料を物体にプリントして導電材料により導電回路を形成することで構成される。
【０００８】
本発明の実施例によるダートボードは磁石を有するため、ダートボードに固定磁場が形成される。ダートボードの感知層は常態下で磁石から形成される固定磁場の中に据えられる。使用者が磁性のポイントを有するダート、あるいは、鋼、鉄または合金などの磁石から製造されるポイントを有するダートをダートボードに投げる場合、ポイントが磁性または磁石であるダートは本体そのものが磁化されているため、的に刺さる瞬間、磁力区域内に形成される固定磁場の磁気流量を変化させる。感知層は磁気流量の変化に伴い感知電流を発生させることで自動的に採点するという効果を達成可能である。
【０００９】
本発明の実施例の構造は使用者が使用するダートの選択肢を増加させることが可能であるため、ダートは必ずしもポイントが磁性を有する必要はなく、一般の鉄製のダートでもよい。したがって、使用者の使用上の選択肢を増加させることが可能となるだけでなく、製造の際の難度及びコストを低減させ、製品に市場競争力を持たせることが可能となる。
また、本発明の感知層はプリント方式により製造されるため、製造の際に大量プリントする方式を採用すれば、ダートボード全体の導電回路を一度にプリントし、次にダートボードの背面に貼り付けるだけでよい。したがって、現今の製造法及び構造に比べて効率はかなり高くなる。また、感知層はダートボードの背面または磁力区域の背面に配置されるため、ダートボードの正面に金属の保護フレームを装着する必要がなくなり、感知層の回路にダートが当たって断線するという事態が発生しにくくなり、製品の安定性が高まる。したがって、使用者にとって利便性が向上する。
【図面の簡単な説明】
【００１０】
【図１】周知の製品の外観を示す立体図である。
【図２】図１の２−２線に沿う断面図である。
【図３】本発明の第一実施例によるプリント式磁性ダートボードの断面図である。
【図４】本発明の第二実施例によるプリント式磁性ダートボードの断面図である。
【符号の説明】
【００１１】
１０  ダートボード、  ２０  磁力区域、  ３０  感知層
【図１】
2007044250.tif 000003
【図２】
2007044250.tif 000004
【図３】
2007044250.tif 000005
【図４】
2007044250.tif 000006